【手続補正書】
【提出日】平成26年10月15日(2014.10.15)
【手続補正１】
【補正対象書類名】特許請求の範囲
【補正対象項目名】全文
【補正方法】変更
【補正の内容】
【特許請求の範囲】
【請求項１】
管理サーバと、遊技者により遊技が行なわれる遊技媒体を循環させる循環経路を有する封入式遊技機と、前記管理サーバおよび前記封入式遊技機に通信可能に接続され、遊技者所有の有価価値を使用して前記封入式遊技機による遊技を可能にする遊技用装置とを備えた遊技用システムであって、
前記管理サーバは、前記封入式遊技機の真正を確認するための識別情報を登録する識別情報登録手段を含み、
前記遊技用装置は、
前記封入式遊技機の識別情報が前記管理サーバに登録済であるか否かを確認するための確認処理を行なう登録確認手段と、
該登録確認手段による確認処理の結果登録済であるときには前記封入式遊技機による遊技を許容する遊技許容手段とを含み、
該遊技許容手段は、前記登録確認手段による確認処理の結果登録済の確認ができなかったときには、予め定められた限定期間の範囲内で前記封入式遊技機による遊技を許容する限定許容手段を含む、遊技用システム。
【請求項２】
遊技媒体を循環させる循環経路を有する封入式遊技機の真正を確認するための識別情報を登録する管理サーバおよび前記封入式遊技機と通信可能な通信部を含み、遊技者所有の有価価値を使用して前記封入式遊技機による遊技を可能にする遊技用装置であって、
前記封入式遊技機の識別情報が前記管理サーバに登録済であるか否かを確認するための確認処理を行なう登録確認手段と、
該登録確認手段による確認処理の結果登録済であるときには前記封入式遊技機による遊技を許容する遊技許容手段とを備え、
該遊技許容手段は、前記登録確認手段による確認処理の結果登録済の確認ができなかったときには、予め定められた限定期間の範囲内で前記封入式遊技機による遊技を許容する限定許容手段を含む、遊技用装置。
【手続補正２】
【補正対象書類名】明細書
【補正対象項目名】０００１
【補正方法】変更
【補正の内容】
【０００１】
本発明は、管理サーバと、遊技者により遊技が行なわれる遊技媒体を循環させる循環経路を有する封入式遊技機と、前記管理サーバおよび前記封入式遊技機に通信可能に接続され、遊技者所有の有価価値を使用して前記封入式遊技機による遊技を可能にする遊技用装置を備えた遊技用システム、および、前記遊技用装置に関する。
【手続補正３】
【補正対象書類名】明細書
【補正対象項目名】０００８
【補正方法】変更
【補正の内容】
【０００８】
（１）  本発明は、管理サーバ（上位サーバ８０１）と、遊技者により遊技が行なわれる遊技媒体を循環させる循環経路を有する封入式遊技機（パチンコ機２、スロットマシン２Ｓ）と、前記管理サーバおよび前記封入式遊技機に通信可能に接続され、遊技者所有の有価価値を使用して前記封入式遊技機による遊技を可能にする遊技用装置（カードユニット３）とを備えた遊技用システムであって、
前記管理サーバは、前記封入式遊技機の真正を確認するための識別情報（メインチップＩＤ、払出チップＩＤ）を登録する識別情報登録手段（認証情報記憶部）を含み、
前記遊技用装置は、
前記封入式遊技機の識別情報が前記管理サーバに登録済であるか否かを確認するための確認処理を行なう登録確認手段（図８３、図８４の遊技機チップ情報問合せ）と、
該登録確認手段による確認処理の結果登録済であるときには前記封入式遊技機による遊技を許容する遊技許容手段（図８３のカード挿入・入金可処理）とを含み、
該遊技許容手段は、前記登録確認手段による確認処理の結果登録済の確認ができなかったときには、予め定められた限定期間の範囲内で前記封入式遊技機による遊技を許容する限定許容手段（図８４のカード挿入・入金可処理）を含む。
【手続補正４】
【補正対象書類名】明細書
【補正対象項目名】０００９
【補正方法】変更
【補正の内容】
【０００９】
このような構成によれば、封入式遊技機の識別情報が管理サーバに登録済であるか否かを確認するための確認処理の結果登録済であるときには封入式遊技機による遊技が許容される一方、確認処理の結果登録済の確認ができなかったときにも、予め定められた限定期間の範囲内で封入式遊技機による遊技が許容されるために、管理サーバにより識別情報に基づいた封入式遊技機が真正である旨の認証を得ることができない場合の封入式遊技機の稼働ができない状態となる不都合を極力防止できる。
【手続補正５】
【補正対象書類名】明細書
【補正対象項目名】００１０
【補正方法】変更
【補正の内容】
【００１０】
（２）  上記（１）の遊技用システムにおいて、前記遊技用装置は、
前記限定許容手段により遊技が許容されている封入式遊技機での遊技が前記限定期間内であるか否かを判定する許容期間判定手段（図８４の通信制御ＩＣ情報無時の運用許可日数範囲内であればＣＵ通信制御部との認証を実施する処理）と、
該許容期間判定手段により前記限定期間を超えていると判定されたときに、当該封入式遊技機による遊技を禁止する遊技禁止手段（図８５の通信制御ＩＣ情報無時の運用許可日数範囲外であればＣＵ通信制御部との認証を実施しないで上位サーバにエラー通知ＡＴＴを送信する処理）とを含む。
【手続補正６】
【補正対象書類名】明細書
【補正対象項目名】００１１
【補正方法】変更
【補正の内容】
【００１１】
このような構成によれば、限定期間の範囲内で遊技が許容されている封入式遊技機への遊技がその限定期間を超えていると判定されたときに、当該封入式遊技機による遊技が禁止されるために、限定期間を超えての遊技を許容することによるセキュリティの低下を極力防止することができる。
【手続補正７】
【補正対象書類名】明細書
【補正対象項目名】００１２
【補正方法】変更
【補正の内容】
【００１２】
（３）  上記（１）または（２）の遊技用システムにおいて、前記遊技用装置は、
前記限定許容手段により遊技が許容されている封入式遊技機での遊技が前記限定期間内であるか否かを判定する許容期間判定手段（図８４の通信制御ＩＣ情報無時の運用許可日数範囲内であればＣＵ通信制御部との認証を実施する処理）と、
該許容期間判定手段により前記限定期間を超えていると判定されたときに、前記管理サーバへ異常が発生したことを通知する異常通知手段（図８５の通信制御ＩＣ情報無時の運用許可日数範囲外であればＣＵ通信制御部との認証を実施しないで上位サーバにエラー通知ＡＴＴを送信する処理）を含む。
【手続補正８】
【補正対象書類名】明細書
【補正対象項目名】００１３
【補正方法】変更
【補正の内容】
【００１３】
このような構成によれば、限定期間の範囲内で遊技が許容されている封入式遊技機での遊技がその限定期間を超えていると判定されたときに、管理サーバへ異常が発生したことが通知されるために、限定期間を超えている異常の発生を管理サーバにおいて掌握することができ、セキュリティを向上させることができる。
【手続補正９】
【補正対象書類名】明細書
【補正対象項目名】００１４
【補正方法】変更
【補正の内容】
【００１４】
（４）  上記（１）〜（３）のいずれかの遊技用システムにおいて、前記遊技用装置は、
前記登録確認手段による確認処理が実行されたときの当該確認の対象である識別情報を記憶する識別情報記憶手段（図８３、図８４の遊技機チップ情報の記憶処理）と、
識別情報が前記識別情報記憶手段に記憶された以降において、前記登録確認手段による確認処理を行なう際に前記管理サーバとオフライン状態であったときには、前記識別情報記憶手段に記憶されている識別情報と前記封入式遊技機の識別情報とを照合することによって確認処理を行なうオフライン時確認手段（オフライン時にメイン制御部３２３のＥＥＰＲＯＭに記憶した遊技機チップ情報を認証用情報記憶部に記憶された遊技機チップ情報と照合する）とを含む。
【手続補正１０】
【補正対象書類名】明細書
【補正対象項目名】００１６
【補正方法】変更
【補正の内容】
【００１６】
（５）  上記（４）の遊技用システムにおいて、前記識別情報記憶手段は、確認対象である前記識別情報を記憶する際に、前記管理サーバによる登録済の識別情報かあるいは未登録の識別情報かも併せて記憶し（メイン制御部３２３の認証用情報記憶部において当該通信制御ＩＣ情報を登録有情報と対応付けて記憶する）、
前記限定許容手段は、前記オフライン時確認手段による確認処理の結果前記封入式遊技機が未登録の識別情報に対応するものであると判定されたときに、前記限定期間の範囲内で遊技を許容する（照合対象の通信制御ＩＣ情報が認証用情報記憶部に記憶されており、かつ、登録無情報である場合には、通信制御ＩＣ情報無として判断し、ＣＵ認証ＮＧ時の運用許可日数の範囲内で通信制御ＩＣ認証シーケンスの実行が許可される）。
【手続補正１１】
【補正対象書類名】明細書
【補正対象項目名】００１８
【補正方法】変更
【補正の内容】
【００１８】
（６）  本発明における他の態様は、遊技媒体を循環させる循環経路を有する封入式遊技機の真正を確認するための識別情報（メインチップＩＤ、払出チップＩＤ）を登録する管理サーバ（上位サーバ８０１）および前記封入式遊技機（パチンコ機２、スロットマシン２Ｓ）と通信可能な通信部を含み、遊技者所有の有価価値を使用して前記封入式遊技機による遊技を可能にする遊技用装置（カードユニット３）であって、
前記封入式遊技機の識別情報が前記管理サーバに登録済であるか否かを確認するための確認処理を行なう登録確認手段（図８３、図８４の遊技機チップ情報問合せ）と、
該登録確認手段による確認処理の結果登録済であるときには前記封入式遊技機による遊技を許容する遊技許容手段（図８３のカード挿入・入金可処理）とを備え、
該遊技許容手段は、前記登録確認手段による確認処理の結果登録済の確認ができなかったときには、予め定められた限定期間の範囲内で前記封入式遊技機による遊技を許容する限定許容手段（図８４のカード挿入・入金可処理）を含む。
【手続補正１２】
【補正対象書類名】明細書
【補正対象項目名】００１９
【補正方法】変更
【補正の内容】
【００１９】
このような構成によれば、封入式遊技機の識別情報が管理サーバに登録済であるか否かを確認するための確認処理の結果登録済であるときには封入式遊技機による遊技が許容される一方、確認処理の結果登録済の確認ができなかったときにも、予め定められた限定期間の範囲内で封入式遊技機による遊技が許容されるために、管理サーバにより識別情報に基づいた封入式遊技機が真正である旨の認証を得ることができない場合の封入式遊技機の稼働ができない状態となる不都合を極力防止できる。
【手続補正１３】
【補正対象書類名】明細書
【補正対象項目名】００２０
【補正方法】変更
【補正の内容】
【００２０】
（７）  上記（６）の遊技用装置において、前記限定許容手段により遊技が許容されている封入式遊技機での遊技が前記限定期間内であるか否かを判定する許容期間判定手段（図８４の通信制御ＩＣ情報無時の運用許可日数範囲内であればＣＵ通信制御部との認証を実施する処理）と、
該許容期間判定手段により前記限定期間を超えていると判定されたときに、当該封入式遊技機による遊技を禁止する遊技禁止手段（図８５の通信制御ＩＣ情報無時の運用許可日数範囲外であればＣＵ通信制御部との認証を実施しないで上位サーバにエラー通知ＡＴＴを送信する処理）とを含む。
【手続補正１４】
【補正対象書類名】明細書
【補正対象項目名】００２１
【補正方法】変更
【補正の内容】
【００２１】
このような構成によれば、限定期間の範囲内で遊技が許容されている封入式遊技機への遊技がその限定期間を超えていると判定されたときに、当該封入式遊技機による遊技が禁止されるために、限定期間を超えての遊技を許容することによるセキュリティの低下を極力防止することができる。
【手続補正１５】
【補正対象書類名】明細書
【補正対象項目名】００２２
【補正方法】変更
【補正の内容】
【００２２】
（８）  上記（７）の遊技用装置において、前記限定許容手段により遊技が許容されている封入式遊技機での遊技が前記限定期間内であるか否かを判定する許容期間判定手段（図８４の通信制御ＩＣ情報無時の運用許可日数範囲内であればＣＵ通信制御部との認証を実施する処理）と、
該許容期間判定手段により前記限定期間を超えていると判定されたときに、前記管理サーバへ異常が発生したことを通知する異常通知手段（図８５の通信制御ＩＣ情報無時の運用許可日数範囲外であればＣＵ通信制御部との認証を実施しないで上位サーバにエラー通知ＡＴＴを送信する処理）を含む。
【手続補正１６】
【補正対象書類名】明細書
【補正対象項目名】００２３
【補正方法】変更
【補正の内容】
【００２３】
このような構成によれば、限定期間の範囲内で遊技が許容されている封入式遊技機での遊技がその限定期間を超えていると判定されたときに、管理サーバへ異常が発生したことが通知されるために、限定期間を超えている異常の発生を管理サーバにおいて掌握することができ、セキュリティを向上させることができる。
【手続補正１７】
【補正対象書類名】明細書
【補正対象項目名】００２４
【補正方法】変更
【補正の内容】
【００２４】
（９）  上記（７）または（８）の遊技用装置において、前記登録確認手段による確認処理が実行されたときの当該確認の対象である識別情報を記憶する識別情報記憶手段（図８３、図８４の遊技機チップ情報の記憶処理）と、
識別情報が前記識別情報記憶手段に記憶された以降において、前記登録確認手段による確認処理を行なう際に前記管理サーバとオフライン状態であったときには、前記識別情報記憶手段に記憶されている識別情報と前記封入式遊技機の識別情報とを照合することによって確認処理を行なうオフライン時確認手段（オフライン時にメイン制御部３２３のＥＥＰＲＯＭ８０８に記憶した通信制御ＩＣ情報を認証用情報記憶部に記憶された通信制御ＩＣ情報と照合する）とを含む。
【手続補正１８】
【補正対象書類名】明細書
【補正対象項目名】００２５
【補正方法】変更
【補正の内容】
【００２５】
このような構成によれば、登録確認手段による確認処理が実行されたときの当該確認の対象である識別情報が遊技用装置に記憶され、それ以降において、登録の確認処理を行なう際に管理サーバとオフライン状態であったときに、その遊技用装置に記憶されている識別情報と封入式遊技機の識別情報とが照合されてオフライン時の確認処理が可能となり、オフライン時におけるセキュリティの低下を極力防止することができる。
【手続補正１９】
【補正対象書類名】明細書
【補正対象項目名】０３１２
【補正方法】変更
【補正の内容】
【０３１２】
図１７は、図８に示したＣＵ通信制御部シリアルＩＤ認証シーケンスのサブルーチンプログラムを示すフローチャートである。まずメイン制御部３２３からＣＵ通信制御部８０へＣＵ通信制御部シリアルＩＤ認証要求１が送信される。それを受けたＣＵ通信制御部８０は、ＣＵ通信制御部シリアルＩＤすなわち図４に示したＲＯＭ８０９に記憶されているＣＵ通信制御部のＳＩＤを用いてチャレンジコードＡを生成し、そのチャレンジコードＡをＣＵ通信制御部シリアルＩＤ認証応答１としてメイン制御部３２３へ送信する。それを受けたメイン制御部３２３は、ＣＵ通信制御部シリアルＩＤすなわちＥＥＰＲＯＭ（図示略）に記憶されているＣＵ通信制御部のＳＩＤを用いてレスポンスコードＡを生成し、そのレスポンスコードＡをＣＵ通信制御部シリアルＩＤ認証要求２としてＣＵ通信制御部８０へ送信する。それを受けた通信制御部８０は、そのレスポンスコードＡをチェックして適正であるか否かを判定する。そしてその判定結果（チェック結果）とチャレンジコードＢの要求を含むＣＵ通信制御部シリアルＩＤ認証応答２をメイン制御部３２３へ送信する。それを受けたメイン制御部３２３は、チェック結果が不適正（ＮＧ）であった場合には、以降の通信を行なわないように制御する。
【手続補正２０】
【補正対象書類名】明細書
【補正対象項目名】０３１３
【補正方法】変更
【補正の内容】
【０３１３】
この図１７に示したチャレンジコードの生成およびレスポンスコードの生成のアルゴリズムは、どのようなものであってもよいが、たとえば図１６で説明したエクスクルーシブオアを用いたアルゴリズムを使用することができる。
【手続補正２１】
【補正対象書類名】明細書
【補正対象項目名】０３５１
【補正方法】変更
【補正の内容】
【０３５１】
図２３は、図２２に示した挿入時処理のサブルーチンプログラムを示すフローチャート図である。本実施の形態において破線で示すステップは変形例の制御内容を示している。また、実線の矢印は制御の流れを示し、二点差線の矢印は送信される情報の流れを示している。図２３において、Ｓ１〜Ｓ７の各ステップはＣＵが実行する。またＳ８〜Ｓ１０、Ｓ１２〜Ｓ１５はＰ台が実行する。より具体的には、Ｓ８〜Ｓ１０、Ｓ１２、Ｓ１３、Ｓ１５の削除処理は、Ｐ台に設けられている表示器用演出制御基板５３が実行し、Ｓ１４とＳ１５の送信処理は、表示器用演出制御基板５３が払出制御部１７へ送信して払出制御部１７がＣＵへ送信する。
【手続補正２２】
【補正対象書類名】明細書
【補正対象項目名】０９０１
【補正方法】変更
【補正の内容】
【０９０１】
前述の実施の形態においては、図３等に基づいて説明したように、Ｃ−ＩＤの一致判定をＰ台側において行なっていたが、その一致判定をＣＵ側において行なってもよい。その場合には、Ｐ台２のバックアップデータ記憶部に記憶されているＣ−ＩＤをＣＵ側に送信してもらい、それを受信したＣＵ側において、挿入されたカードに記録されているＣ−ＩＤを読取り、その読取ったＣ−ＩＤとＰ台から送信されたＣ−ＩＤとの一致判定を行なう。そして、ＣＵ３において、Ｃ−ＩＤが不一致であると判定した場合に、Ｐ台２に対してクリアコマンドを送信する。そのクリアコマンドを受信したＰ台２では、バックアップデータ記憶部に記憶されているデータを消去する。